(57)【特許請求の範囲】
【請求項１】
開口部を有する外箱と、
上記開口部を開閉するドアと、
上記外箱に設けられ、上記ドアを回転可能に支持するヒンジ部と、
上記ドアが所定の開き角度まで開放された場合に、上記ドアを開放状態で保持するドア閉じ防止機構と、
上記ドア閉じ防止機構による上記ドアの開放状態での保持を解除するための解除機構と、
を備え、
電源がオンされたときに、上記ドア閉じ防止機構による上記ドアの開放状態での保持を解除するように構成されているドア保持解除部をさらに備えることを特徴とする衣類処理装置。
【請求項２】
請求項１に記載の衣類処理装置において、
上記解除機構が、上記解除機構を作動させるための操作部を有し、
上記操作部が、上記外箱の上記開口部の周辺部における上記ヒンジ部側に配置されていることを特徴とする衣類処理装置。
【請求項３】
請求項１または２の衣類処理装置において、
上記ドア閉じ防止機構の機能を停止させる機能停止部をさらに備えることを特徴とする衣類処理装置。
【請求項４】
請求項１から３のいずれか１つに記載の衣類処理装置において、
所定の上記開き角度が複数設けられていることを特徴とする衣類処理装置。
【請求項５】
請求項１から４のいずれか１つに記載の衣類処理装置において、
上記ドア閉じ防止機構が、
上記解除機構に連結され、付勢力により上記ヒンジ部に向かって付勢されたドアストッパと、
上記ヒンジ部に設けられ、上記ドアを所定の開き角度まで開放した場合に上記ドアストッパを挿入できるように配置されたストッパ受部と、を有し、
上記ドアが所定の開き角度まで開放された場合に、上記ドアストッパが上記付勢力により上記ストッパ受部に挿入され、上記ドアを開放状態で保持できるように設けられていると共に、
上記解除機構が、
上記ドア閉じ防止機構により上記ドアが開放状態で保持されている場合に、上記ドアストッパを上記付勢力により付勢されている付勢方向とは反対方向に移動させて、上記ドアの開放状態での保持を解除できるように設けられている
ことを特徴とする衣類処理装置。
【発明の詳細な説明】
【技術分野】
【０００１】
本発明は、衣類処理装置に関する。
【背景技術】
【０００２】
従来、衣類処理装置としては、例えば、特許文献１に記載されたものがある。この衣類処理装置は、開口部を有する外箱と、この開口部を開閉するドアとを備え、このドアの開口部と対向する内縁部に閉止抑制部を設けている。
【先行技術文献】
【特許文献】
【０００３】
【特許文献１】特許５６４５４６４号公報
【発明の概要】
【発明が解決しようとする課題】
【０００４】
上記衣類処理装置では、開閉抑制部を操作して隆起状態で固定することにより、ドアが完全に閉鎖しないようにしている。
【０００５】
しかしながら、上記衣類処理装置では、コイン等の道具を用いなければ開閉抑制部を操作することができない。このため、開閉抑制部の操作が複雑になり、使用性が悪いという問題がある。
【０００６】
そこで、本発明の課題は、簡単な操作でドアを開放状態で保持できると共に、簡単な操作でドアの開放状態での保持を解除できる衣類処理装置を提供することにある。
【課題を解決するための手段】
【０００７】
上記課題を解決するため、本発明の衣類処理装置は、
開口部を有する外箱と、
上記開口部を開閉するドアと、
上記外箱に設けられ、上記ドアを回転可能に支持するヒンジ部と、
上記ドアが所定の開き角度まで開放された場合に、上記ドアを開放状態で保持するドア閉じ防止機構と、
上記ドア閉じ防止機構による上記ドアの開放状態での保持を解除するための解除機構と、
を備えることを特徴としている。
【０００８】
また、一実施形態の衣類処理装置では、
上記解除機構が、上記解除機構を作動させるための操作部を有し、
上記操作部が、上記外箱の上記開口部の周辺部における上記ヒンジ部側に配置されている。
【０００９】
また、一実施形態の衣類処理装置では、
電源がオンされたときに、上記ドア閉じ防止機構による上記ドアの開放状態での保持を解除するように構成されているドア保持解除部をさらに備える。
【００１０】
また、一実施形態の衣類処理装置では、
上記ドア閉じ防止機構の機能を停止させる機能停止部をさらに備える。
【００１１】
所定の上記開き角度が複数設けられている。
【００１２】
また、一実施形態の衣類処理装置では、
上記ドア閉じ防止機構が、
上記解除機構に連結され、付勢力により上記ヒンジ部に向かって付勢されたドアストッパと、
上記ヒンジ部に設けられ、上記ドアを所定の開き角度まで開放した場合に上記ドアストッパを挿入できるように配置されたストッパ受部と、を有し、
上記ドアが所定の開き角度まで開放された場合に、上記ドアストッパが上記付勢力により上記ストッパ受部に挿入され、上記ドアを開放状態で保持できるように設けられていると共に、
上記解除機構が、
上記ドア閉じ防止機構により上記ドアが開放状態で保持されている場合に、上記ドアストッパを上記付勢力により付勢されている付勢方向とは反対方向に移動させて、上記ドアの開放状態での保持を解除できるように設けられている。
【発明の効果】
【００１３】
本発明によれば、ドアを所定の開き角度まで開放することにより、ドアが開放状態で保持される。また、解除機構を操作することで、ドアの開放状態での保持が解除される。すなわち、簡単な操作でドアを開放状態で保持できると共に、簡単な操作でドアの開放状態での保持を解除できる。
【図面の簡単な説明】
【００１４】
【図１】本発明の第１実施形態の衣類処理装置の斜視図である。
【図２】図１の衣類処理装置の外箱のパネル部を省略し、かつ、ドアを開放した状態を示す斜視図である。
【図３】図１の衣類処理装置の解除機構、連結軸、および、ドアストッパの斜視図である。
【図４】図１の衣類処理装置の解除機構、連結軸、および、ドアストッパの図３のIV矢視図である。
【図５】図１の衣類処理装置の解除機構、連結軸、および、ドアストッパの図４のV-V線に沿った断面図である。
【図６】図１の衣類処理装置のドア閉じ防止機構の動作を説明するための図である。
【図７】図６に続く、図１の衣類処理装置のドア閉じ防止機構の動作を説明するための図である。
【図８】図７に続く、図１の衣類処理装置のドア閉じ防止機構の動作を説明するための図である。
【図９】図８に続く、図１の衣類処理装置のドア閉じ防止機構の動作を説明するための図である。
【図１０】図９に続く、図１の衣類処理装置のドア閉じ防止機構の動作を説明するための図である。
【図１１】本発明の第２実施形態の衣類処理装置のドア閉じ防止機構部分の拡大斜視図である。
【発明を実施するための形態】
【００１５】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１６】
（第１実施形態）
第１実施形態の衣類処理装置の一例のドラム式洗濯乾燥機１００は、図１に示すように、開口部４（図２示す）を有する外箱１と、開口部４を開閉する円盤形状のドア２とを備えている。なお、以下の記載において、図１の上下方向および左右方向をドラム式洗濯乾燥機１００の上下方向および左右方向とし、開口部４が設けられている側を前面、前面に対向する面を後面とする。
【００１７】
外箱１は、フレーム１１（図２に示す）と、フレーム１１を覆うパネル部１２とで構成されている。なお、図２では、外箱１のフレーム１１のみを示している。
【００１８】
図１，図２に示すように、外箱１の前面の開口部４の上側には、操作パネル６、洗剤ケース１４、および、解除機構５０が設けられ、外箱１の前面の開口部４の下側には、糸くずフィルタ装置１５が設けられている。操作パネル６は、運転動作を選択して指示入力すると共に運転状態を表示する。また、解除機構５０には、上下方向に伸びる連結軸６０の上端が連結され、連結軸６０の下端には、ドアストッパ７０が連結されている。このドアストッパ７０は、付勢力の一例の重力によりヒンジ部５に向かって付勢されている。
【００１９】
外箱１の上面には、給水ホース接続部７、風呂水給水口８、および、乾燥フィルタ装置９が設けられている。また、外箱１の側面には、排水ホース接続口１６が設けられている。
【００２０】
また、図２に示すように、フレーム１１の開口部４の左側には、凹所１１１が設けられている。この凹所１１１には、ヒンジ部５が設けられている。
【００２１】
ドア２は、図２に示すように、ドアハンドル１０を有し、開口部４を開閉できるようにヒンジ部５を介して外箱１に取り付けられている。また、このドア２は、開口部を閉鎖したときに、開口部４を水密かつ気密に封止できるようになっている。
【００２２】
ヒンジ部５は、図２に示すように、ドア取付金具２０と回転支持部３０とで構成されている。
【００２３】
ドア取付金具２０は、ドア２と回転支持部３０とに連結され、その上端部２２に、ドアストッパ７０を挿入可能な切欠２１を有している。また、回転支持部３０は、凹所１１１に取り付けられ、上下方向に伸びる回転軸４０に対して、ドア取付金具２０を矢印Ｒ方向に沿って回転可能に支持している。すなわち、ヒンジ部５は、外箱１に設けられ、ドア２を回転可能に支持している。なお、切欠２１は、ストッパ受部の一例である。
【００２４】
切欠２１は、ドアストッパ７０を挿入可能な形状を有し、ドア２が所定の開き角度まで開放された場合にドアストッパ７０の下側に位置し、ドアストッパ７０を挿入できるように配置されている。
【００２５】
なお、ドア取付金具２０の切欠２１とドアストッパ７０とで、ドア閉じ防止機構を形成している。
【００２６】
また、ドア２の開き角度とは、ドア２の回転軸に直交する平面において、外箱１の前面とドア２とが成す角度をいう。
【００２７】
外箱１の内部には、図２に示すように、洗濯槽１３、洗濯槽１３の内部に回転可能に配置された回転ドラム３、および、制御装置（図示せず）などが設けられている。
【００２８】
洗濯槽１３および回転ドラム３は、開口部４を介して、外箱１の外部と連通している。このため、ドア２を開放することにより、開口部４を介して回転ドラム３の内部に洗濯物をいれたり、回転ドラム３の内部から洗濯物を出したりすることができる。
【００２９】
制御装置は、操作パネル６を介して入力された運転コースの選択あるいは各工程の時間設定などの情報に基づいて、例えば、洗濯から乾燥までの一連の動作を実行する。
【００３０】
また、ドラム式洗濯乾燥機１００には、外箱１の内部の後面側に配置された乾燥用のヒートポンプユニット（図示せず）と、このヒートポンプユニットを介して洗濯槽１３内の空気を循環させるための循環経路とが設けられている。
【００３１】
次に、解除機構５０、連結軸６０、および、ドアストッパ７０について、より詳しく説明する。
【００３２】
解除機構５０は、図２に示すように、外箱１のフレーム１１のヒンジ部５の上側、すなわち、開口部４の周辺部におけるヒンジ部５側に配置されている。この解除機構５０は、図３〜図５に示すように、開口部５４を有する有底筒状のベース５１と、このベース５１の開口部５４の縁部に回転可能に支持された操作部５２と、ベース５１の内部に回転可能に支持されたスライダ５３とで構成されている。
【００３３】
なお、ベース５１の開口部５４側の面を解除機構５０の主要面とし、この主要面に対向する面を底面、主要面と底面とに連続する面を側面とする。
【００３４】
ベース５１は、図３，図４に示すように、主要面視略円形状の円筒部５１１と、この円筒部５１１の側面から径方向に伸びる回転支持部５１２と、円筒部５１１の回転支持部５１２に対向する側面から径方向に伸びる固定部５１３とで構成されている。円筒部５１１および回転支持部５１２の主要面側は開口しており、開口部５４を形成している。また、回転支持部５１２および固定部５１３は、円筒部５１１の中央を通る同一直線上に伸びている。
【００３５】
なお、図３〜図５において、円筒部５１１から回転支持部５１２および固定部５１３が伸びている方向をＹ方向とし、このＹ方向に直交する方向をＸ方向とし、Ｘ方向およびＹ方向に直交する方向をＺ方向とする。
【００３６】
円筒部５１１の開口部５４の縁部には、円筒部５１１の中央を通るＸ方向の直線上に対向するように配置された第１の回転受部５１４が設けられている。また、図５に示すように、円筒部５１１のＹ方向の下側の面には、円筒部５１１の内部とベース５１の外部とを連通する貫通穴５１６が設けられている。
【００３７】
回転支持部５１２の開口部５４の縁部のＹ方向の上側には、Ｘ方向の直線上に対向するように配置された第２の回転受部５１５が設けられている。
【００３８】
また、図５に示すように、ベース５１の底面のＹ方向の上端には、解除機構５０を外箱１のフレーム１１に固定するための爪部５１７が設けられている。
【００３９】
操作部５２は、図３，図４に示すように、主要面視において、ベース５１の開口部５４に沿った形状を有している。この操作部５２は、主要面視円形状の操作部５２１と、操作部５２１からＹ方向に伸びる回転軸部５２２とで構成されている。
【００４０】
操作部５２１の表面（図５のＺ方向の左側の面）のＹ方向の下側には、操作部５２を操作し易くするための凹部５２３が設けられている。また、図５に示すように、操作部５２１の裏面（図５のＺ方向の右側の面）には、Ｚ方向に突出する突起部５２５が設けられている。
【００４１】
回転軸部５２２のＹ方向の上端には、回転軸５２４（図３に示す）が設けられている。この回転軸５２４は、ベース５１の第２の回転受部５１５によって回転支持可能に形成されている。すなわち、操作部５２は、回転軸５２４を介してベース５１に回転可能に支持されている。
【００４２】
固定部５１３は、Ｚ方向に貫通する固定穴５１８を有し、ねじ等の締結部材を挿入可能に設けられている。解除機構５０は、ベース５１の爪部５１７と、固定穴５１８を介して挿入された締結部材とで、外箱１のフレーム１１に固定されている。
【００４３】
また、図５に示すように、ベース５１の内部には、スライダ５３が設けられている。このスライダ５３は、操作部５２の突起部５２５により押圧可能に形成された押圧部５３１と、押圧部５３１に連結された回転軸５３２と、回転軸５３２に直交する方向に伸びる連結部５３３とで構成されている。
【００４４】
回転軸５３２は、ベース５１の第１の回転受部５１４によって回転支持可能に形成されている。すなわち、スライダ５３は、回転軸５３２を介してベース５１に回転可能に支持されている。また、連結部５３３は、スライダ５３の回転に応じて、Ｙ方向に沿って上下に移動するように設けられ、先端に設けられた円柱部５３４と、この円柱部５３４と回転軸５３２との間に設けられた貫通穴５３５（図９に示す）とを有している。
【００４５】
連結軸６０は、図５に示すように、棒状で、一方の端部がドアストッパ７０に固定され、ドアストッパ７０と一体化されている。連結軸６０の他方の自由端部には、Ｕ字に折り曲げられたフック部６１が設けられている。このフック部６１は、ベース５１の貫通穴５１６からベース５１の内部に挿入され、スライダ５３の円柱部５３４に引っかけられている。これにより、解除機構５０と連結軸６０とが連結されている。
【００４６】
なお、連結軸６０の長さは、スライダ５３が操作部５２の突起部５２５に押圧されていない状態（図５の状態）で、ドアストッパ７０がドア取付金具２０の切欠２１の内部に位置でき、かつ、スライダ５３が操作部５２の突起部５２５に押圧された状態（図９の状態）で、ドアストッパ７０が切欠２１の内部に位置しないように、調整されている。
【００４７】
ドアストッパ７０は、図３に示すように、矩形板状の本体部７１と、本体部７１の一対の対向する側面の各々に設けられた矩形板状の側壁部７２とで構成され、Ｙ方向からみて略コ字形状を有している。このドアストッパ７０は、図２に示すように、側壁部７２が外箱１のフレーム１１に向かって伸びるように、外箱１のフレーム１１の凹所１１１に収納されている。すなわち、ドアストッパ７０は、側壁部７２によって、ドアを閉鎖する方向への移動が規制されている。
【００４８】
続いて、図６〜図１０を参照して、ドア閉じ防止機構の動作について説明する。なお、解除機構５０は、図６に示すように、操作部５２の回転軸部５２２が上側に位置するように、ベース５１の底面が外箱１のフレーム１１に取り付けられている。
【００４９】
まず、ドア２を開放状態で保持する場合の動作について説明する。
【００５０】
図６に示すように、ドア２を開放する途中の状態では、ドア取付金具２０の切欠２１は、ドアストッパ７０の下側に位置しておらず、ドアストッパ７０は、ドア取付金具２０の上端部２２に本体部７１の下面が接触した状態で、凹所１１１に収納されている。
【００５１】
ドア２を開放していくと、ドア２の開放に伴って、ヒンジ部５のドア取付金具２０が回転する。このとき、ドア取付金具２０は、その上端部２２とドアストッパ７０の下面とが接触した状態で回転する。
【００５２】
図７に示すように、ドア２を所定の開き角度まで開放すると、ドア取付金具２０の切欠２１がドアストッパ７０の下側に移動し、ドアストッパ７０の本体部７１が、その自重により、ドア取付金具２０の切欠２１内に自動的に挿入される。切欠２１内にドアストッパ７０が挿入されると、ヒンジ部５の回転動作が固定され、ドア２が所定の開き角度で開放された状態で保持される。
【００５３】
このように、ドア２を所定の開き角度まで開放するだけで、ドア閉じ防止機構によりドア２を開放状態で保持できる。
【００５４】
次に、ドア２の開放状態の保持を解除する場合の動作について説明する。
【００５５】
図８，図９に示すように、操作部５２をベース５１の内部（図９のＸ１方向）に向かって押圧すると、操作部５２の突起部５２５により、スライダ５３の押圧部５３１が押圧される。これにより、スライダ５３が回転軸５３２を中心に矢印Ｒ１方向に回転し、連結軸６０がＹ１方向に持ち上げられる。
【００５６】
連結軸６０がＹ１方向に持ち上げられると、図１０に示すように、ドアストッパ７０が上方に持ち上げられ、ヒンジ部５の回転動作の固定が解除される。
【００５７】
このように、操作部５２を操作するだけで、解除機構５０を作動させて、ドア閉じ防止機構によるドア２の開放状態での保持を解除できる。
【００５８】
上記構成のドラム式洗濯乾燥機１００によれば、ドア２を所定の開き角度まで開放することにより、ドア２が開放状態で保持される。また、解除機構５０の操作部５２を操作することで、ドア２の開放状態での保持が解除される。すなわち、簡単な操作でドア２を開放状態で保持できると共に、簡単な操作でドア２の開放状態での保持を解除できる。
【００５９】
また、解除機構５０の操作部５２が外箱１の開口部４の周辺部におけるヒンジ部５側に配置されているため、回転ドラム３の内部から解除機構５０を作動させることが難しくなる。このため、ドア２が開放状態で保持されている場合に、回転ドラム３の内部からドア２を容易に閉鎖できないようにすることができる。
【００６０】
（第２実施形態）
本発明の第２実施形態の衣類処理装置の一例のドラム式洗濯乾燥機２００は、図１１に示すように、ヒンジ部５のドア取付金具２０の上端部２２に複数の切欠２１を設けた点で、第１実施形態のドラム式洗濯乾燥機１００とは異なっている。
【００６１】
このように、ドア取付金具２０に複数の切欠２１を設けているので、ドア２を複数の開き角度のいずれかで保持できる。このため、利便性を高めることができる。
【００６２】
（第３実施形態）
本発明の第３実施形態の衣類処理装置の一例のドラム式洗濯乾燥機は、図示していないが、ドラム式洗濯乾燥機の電源がオンされたときに、ドア閉じ防止機構によるヒンジ部５の動作の固定を解除するドア保持解除部をさらに備えた点で、第１実施形態のドラム式洗濯乾燥機１００とは異なっている。
【００６３】
例えば、ドア保持解除部は、制御装置に設けられ、ドラム式洗濯乾燥機の電源オンが検出された場合に、ドアストッパ７０の上下方向の位置等からドア２が開放状態で保持されているか否かを判定する。そして、ドア２が開放状態で保持されていると判定された場合、ドア保持解除部は、ドアストッパ７０を持ち上げるためのモータ等の電動駆動部を制御して、ドアストッパ７０を電動で持ち上げ、ドア閉じ防止機構によるドア２の開放状態での保持を解除する。
【００６４】
このようにドア保持解除部を設けることで、ドラム式洗濯乾燥機の使用を開始する度に解除機構５０を操作する手間を省略できる。このため、利便性を高めることができる。
【００６５】
（第４実施形態）
本発明の第４実施形態の衣類処理装置の一例のドラム式洗濯乾燥機は、図示していないが、ドア閉じ防止機構の機能を停止させる機能停止部をさらに備えた点で、第１実施形態のドラム式洗濯乾燥機１００とは異なっている。
【００６６】
機能停止部は、動作させることで、図９，図１０に示す状態、すなわち、ドアストッパ７０をＹ１方向に持ち上げた状態で保持し、ドア２を所定の開き角度まで開放しても、ドア閉じ防止機構によりドア２が開放状態で保持されないようにする。
【００６７】
このように機能停止部を設けることで、ドア２を開放状態で保持する必要がない場合に、ドア２を開閉する度に解除機構５０を操作する手間を省略することができる。このため、利便性を高めることができる。
【００６８】
なお、機能停止部は、電動で動作するように構成することができる。この場合、例えば、機能停止部を操作するためのボタンを設け、このボタンを長押しすることで、機能停止部をオン／オンできるようにしてもよい。
【００６９】
また、機能停止部は、手動で動作するように構成することができる。例えば、切欠を塞ぐカバーを設けて、機能停止部をオンする場合、カバーを手動で取り付け、機能停止部をオフする場合、カバーを手動で取り外すようにしてもよい。
【００７０】
（その他の実施形態）
上記第１〜第４実施形態では、ドア取付金具２０の切欠２１とドアストッパ７０とで、ドア閉じ防止機構を構成しているが、これに限らない。例えば、ドア取付金具を貫通するストッパ受部としての貫通穴と、この貫通穴に挿入可能な棒状のドアストッパと、所定の不勢力で棒状のドアストッパをヒンジ部に向かって付勢するばね等の付勢部を設け、ドアが所定の開き位置まで開放されると、付勢部の付勢力により棒状のストッパが貫通穴に挿入されて、ヒンジ部の動作が固定されるように構成してもよい。
【００７１】
上記第１〜第４実施形態では、ヒンジ部５のドア取付金具２０の上端部２２に切欠２１を設けているが、これに限らない。例えば、ヒンジ部のドア取付金具の下端部に切欠を設けてもよい。この場合、例えば、ドアストッパを直接または間接的にヒンジ部に向かって付勢するばね等の弾性部材を設けて、ドアが所定の開き位置まで開放された場合に、弾性部材の弾性力（付勢力）によってドアストッパが切欠に挿入されるように構成すればよい。
【００７２】
上記第１〜第４実施形態では、解除機構５０の操作部５２を操作することで、ドアストッパ７０が手動で持ち上げられて、ドア閉じ防止機構によるヒンジ部５の動作の固定が解除されているが、これに限らない。例えば、操作部を操作することにより、モータ等の電動駆動部が駆動し、スライダを回転させて、ドアストッパが電動で持ち上げられるように構成してもよい。この場合、操作部は、スライダの近傍に配置する必要はなく、ドラム式洗濯乾燥機の設計等に応じて、任意の位置に配置することができる。また、ドアハンドルを操作することでドアストッパが電動で持ち上げられるように構成してもよい。これにより、いちいち操作部を操作せずともドアを閉める際にハンドルを操作するだけで、ストッパが持ち上がるので、利便性を高めることができる。
【００７３】
解除機構５０は、外箱１のフレーム１１の開口部４の周辺部におけるヒンジ部５側に配置する場合に限らず、任意の位置に配置してもよい。
【００７４】
解除機構５０を覆う不透明材料からなるカバーを設けてもよい。これにより、解除機構５０の存在が目立たなくして、ドア２が開放状態で保持されている場合に、回転ドラム３の内部からドア２を確実に閉鎖できないようにすることができる。
【００７５】
ドアストッパ７０は、ドア取付金具２０の切欠２１に挿入されて、ヒンジ部５の動作が固定できるものであれば、金属、あるいは、弾性部材などの任意の材料で形成することができる。例えば、ドアストッパ７０を弾性部材で形成することで、切欠に挿入された際に発生する雑音を低減することができる。
【００７６】
本発明および実施形態をまとめると、次のようになる。
【００７７】
本発明の衣類処理装置１００は、
開口部４を有する外箱１と、
上記開口部４を開閉するドア２と、
上記外箱１に設けられ、上記ドア２を回転可能に支持するヒンジ部５と、
上記ドア２が所定の開き角度まで開放された場合に、上記ドア２を開放状態で保持するドア閉じ防止機構２１，７０と、
上記ドア閉じ防止機構２１，７０による上記ドア２の保持を解除するための解除機構５０と、
を備えることを特徴としている。
【００７８】
本発明の衣類処理装置１００によれば、ドア２を所定の開き角度まで開放することにより、ドア２が開放状態で保持される。また、解除機構５０を操作することで、ドア２の開放状態での保持が解除される。すなわち、簡単な操作でドア２を開放状態で保持できると共に、簡単な操作でドア２の開放状態での保持を解除できる。
【００７９】
また、一実施形態の衣類処理装置１００は、
上記解除機構５０が、上記解除機構５０を作動させるための操作部５２を有し、
上記操作部５２が、上記外箱１の上記開口部４の周辺部における上記ヒンジ部５側に配置されている。
【００８０】
上記実施形態によれば、解除機構５０の操作部５２が外箱１の開口部４の周辺部におけるヒンジ部５側に配置されているため、回転ドラム３の内部から解除機構５０を作動させることが難しくなる。このため、ドア２が開放状態で保持されている場合に、回転ドラム３の内部からドア２を容易に閉鎖できないようにすることができる。
【００８１】
また、一実施形態の衣類処理装置は、
電源がオンされたときに、上記ドア閉じ防止機構２１，７０による上記ドア２の開放状態での保持を解除するように構成されているドア保持解除部をさらに備える。
【００８２】
上記実施形態によれば、衣類処理装置の使用を開始する度に解除機構５０を操作する手間を省略することができる。このため、利便性を高めることができる。
【００８３】
また、一実施形態の衣類処理装置は、
上記ドア閉じ防止機構２１，７０の機能を停止させる機能停止部をさらに備える。
【００８４】
上記実施形態によれば、ドア２を開放状態で保持する必要がない場合に、ドア２を開閉する度に解除機構５０を操作する手間を省略することができる。このため、利便性を高めることができる。
【００８５】
また、一実施形態の衣類処理装置２００は、
所定の上記開き角度が複数設けられている。
【００８６】
上記実施形態によれば、ドア２を複数の開き角度のいずれかで保持できる。このため、利便性を高めることができる。
【００８７】
また、一実施形態の衣類処理装置は、
上記ドア閉じ防止機構が、
上記解除機構５０に連結され、付勢力により上記ヒンジ部５に向かって付勢されたドアストッパ７０と、
上記ヒンジ部５に設けられ、上記ドア２を所定の開き角度まで開放した場合に上記ドアストッパ７０を挿入できるように配置されたストッパ受部２１と、を有し、
上記ドア２が所定の開き角度まで開放された場合に、上記ドアストッパ７０が上記付勢力により上記ストッパ受部２１に挿入され、上記ドア２を開放状態で保持できるように設けられていると共に、
上記解除機構５０が、
上記ドア閉じ防止機構により上記ドア２が開放状態で保持されている場合に、上記ドアストッパ７０を上記付勢力により付勢されている付勢方向とは反対方向に移動させて、上記ドア２の開放状態での保持を解除できるように設けられている。
【００８８】
上記実施形態によれば、簡単な構成で、ドア２を開放状態で保持できると共に、ドア２の開放状態での保持を解除できる。
【００８９】
上記実施形態で述べた構成要素は、適宜、組み合わせてもよく、また、適宜、選択、置換、あるいは、削除してもよい。
【符号の説明】
【００９０】
１  外箱
１１  フレーム
１１１  凹所
１２  パネル部
２  ドア
１０  ドアハンドル
３  回転ドラム
４  開口部
５  ヒンジ部
２０  ドア取付金具
２１  切欠
２２  上端部
３０  回転支持部
６  操作パネル
７  給水ホース接続部
８  風呂水給水口
９  乾燥フィルタ装置
１４  洗剤ケース
１５  糸くずフィルタ装置
１６  排水ホース接続口
５０  解除機構
５１  ベース
５１１  円筒部
５１２  回転支持部
５１３  固定部
５１４  第１の回転受部
５１５  第２の回転受部
５１６  貫通穴
５１７  爪部
５１８  固定穴
５２  操作部
５２１  操作部
５２２  回転軸部
５２３  凹部
５２４  回転軸
５２５  突起部
５３  スライダ
５３１  押圧部
５３２  回転軸
５３３  連結部
５３４  円柱部
５３５  貫通穴
５４  開口部
６０  連結軸
６１  フック部
７０  ドアストッパ
７１  本体部
７２  側壁部
１００，２００  ドラム式洗濯乾燥機
【図１】
0006667251.tif 000002
【図２】
0006667251.tif 000003
【図３】
0006667251.tif 000004
【図４】
0006667251.tif 000005
【図５】
0006667251.tif 000006
【図６】
0006667251.tif 000007
【図７】
0006667251.tif 000008
【図８】
0006667251.tif 000009
【図９】
0006667251.tif 000010
【図１０】
0006667251.tif 000011
【図１１】
0006667251.tif 000012